(57)【要約】【課題】回動軸を奥側にして扉を手前側から奥側に開いて搬送ローラ対を分割開放する構成であっても、ユーザー操作性が良く、尚且つ、扉の開閉に伴う搬送ローラ対等の部材の損傷を防止すること。【解決手段】シートを挟持搬送する搬送ローラ対と、該搬送ローラ対の一方のローラを保持し、装置本体奥側に回動軸を有する開閉可能な扉と、を有するシート搬送装置において、前記扉が、前記装置本体奥側の回動軸であり装置本体に対して回動する外扉ヒンジ軸１ａを有する外扉１と、該外扉１に対して回動する内扉ヒンジ軸２ｃを外扉奥側に有する内扉２とにより構成され、前記扉を開閉するとき、前記外扉１に対して前記外扉ヒンジ軸１ａを中心に内扉２を徐々に開いていくことにより、前記内扉２に設けた前記搬送ローラ対５，１０の一方のローラ５が他方のローラ１０に対して軸方向において離間部付近で略平行に移動し、その後は、前記外扉１の回動に伴って前記内扉２が前記外扉１との間の角度βを保ったまま回動することを特徴とする。【選択図】    図１
2004269151.tif 000002
【特許請求の範囲】
【請求項１】
シートを挟持搬送する搬送ローラ対と、該搬送ローラ対の一方のローラを保持し、装置本体奥側に回動軸を有する開閉可能な扉と、を有するシート搬送装置において、
前記扉が、前記装置本体奥側の回動軸であり装置本体に対して回動する外扉ヒンジ軸を有する外扉と、該外扉に対して回動する内扉ヒンジ軸を外扉奥側に有する内扉とにより構成され、
前記扉を開閉するとき、前記外扉に対して前記外扉ヒンジ軸を中心に内扉を徐々に開いていくことにより、前記内扉に設けた前記搬送ローラ対の一方のローラが他方のローラに対して軸方向において離間部付近で略平行に移動し、その後は、前記外扉の回動に伴って前記内扉が前記外扉との間の角度を保ったまま回動することを特徴とするシート搬送装置。
【請求項２】
シートに画像を形成する画像形成装置において、シートを搬送する搬送手段として、請求項１に記載のシート搬送装置を備えていることを特徴とする画像形成装置。
【発明の詳細な説明】
【０００１】
【発明の属する技術分野】
本発明は、シートを挟持搬送するシート搬送装置に関し、例えば複写機やレーザビームプリンタ等の画像形成装置に用いられるシート搬送装置に関する。
【０００２】
【従来の技術】
従来、複写機やレーザビームプリンタ等の画像形成装置は、例えば、紙詰まり処理の際に、装置本体に対して開閉可能な扉を開閉する構成のものがある。そして、この紙詰まり処理を容易にするために、この扉の開閉に伴って、シートを挟持搬送する搬送ローラ対を分割して、すなわちローラ対を構成する各ローラを分割してシート搬送路（シートの挟持）を開放するように構成したものがある。
【０００３】
前記開閉可能な扉の構成としては、例えば、装置側面外装をなす扉の下側を回動中心に開閉するものや、扉ごと左右方向（装置設置面と略平行）にスライド移動するものなどがあり、前述の如くして分割する搬送ローラ対を痛ませないために、ローラ軸方向において、一方のローラに対して他方のローラを平行移動させるように開閉する構成が望ましい。
【０００４】
例えば、図１２に示すように、搬送ローラ対５，１０のうち、一方のローラ５を扉９１側に設けて、該扉９１の開閉動作（スライド移動）に伴って、該一方のローラを他方のローラ１０に対して略平行に引き出し、該搬送ローラ対５，１０の挟持状態を開放して紙詰まり処理を行えるようにしたものがある。
【０００５】
【発明が解決しようとする課題】
しかしながら、上記従来例のように、扉の回動軸が下側の場合や扉ごと左右方向にスライド移動させる場合には、該扉を開閉させるための把手の位置が扉の略中心にないと、その開閉動作がスムーズに行えず、操作性が悪いという問題があった。
【０００６】
更に、扉の回動軸が下側の場合は、該扉をユーザーが手で支えながら開かなければならず、操作性が悪いという問題があった。
【０００７】
また、扉ごと左右方向にスライド移動させる場合は、該扉の前後（移動方向に対して略直交する方向）のバランスをうまくとらないと、該扉をスムーズにスライドさせるのが難しく、操作性が悪いという問題があった。更に、扉を容易且つスムーズにスライドさせるためには、その扉をスライドさせるための機構が複雑になってしまうという問題があった。
【０００８】
そのため、ユーザー操作性をよくするためには、図１１に示すように、装置奥側に回動軸５１ａを配した扉５１を設け、該扉５１を装置手前側から装置奥側に開閉するの構成が考えられるが、前述した従来例の如く搬送ローラ対５，１０を分割して開閉する構成の場合は、次のような問題があった。
【０００９】
図１１に示すように、搬送ローラ対５，１０のうち、扉９１側に設けた一方のローラ５は、搬送力を得るために加圧バネ４によって装置本体側の他方のローラ１０側に付勢されている。従って、扉５１が開いた状態のときは、前記加圧バネ４の付勢力によって、該一方のローラ５を支持するローラ軸受３のストッパ部３ａ（３ｂ）と、扉５１のストッパ部５１ａ（５１ｂ）が係合した位置に、前記扉５１側のローラ５が位置する。このため、この状態で扉５１を閉じていくと、扉５１側のローラ５の奥側端部５ａが、装置本体側のローラ１０の円周面にあたりながら閉まるので、該装置本体側のローラ１０の円周面や扉５１側のローラ５の奥側端部５ａが傷ついてしまうおそれがあった。
【００１０】
例えば、前記搬送ローラ対の他方のローラ１０が、トナー像を担持する中間転写ベルトや感光体ドラム等であった場合には、画像劣化の原因になってしまうという問題があった。或いは、前記搬送ローラ対の一方のローラ５の奥側端部が駆動力を伝達するギアであった場合には、部材の破損の原因になってしまうおそれがあった。
【００１１】
そこで、本発明は上記問題に鑑みてなされたもので、その目的とするところは、回動軸を奥側にして扉を手前側から奥側に開いて搬送ローラ対を分割開放する構成であっても、ユーザー操作性が良く、尚且つ、扉の開閉に伴う搬送ローラ対等の部材の損傷を防止することである。
【００１２】
【課題を解決するための手段】
上記の目的を達成するための本発明の代表的な構成は、シートを挟持搬送する搬送ローラ対と、該搬送ローラ対の一方のローラを保持し、装置本体奥側に回動軸を有する開閉可能な扉と、を有するシート搬送装置において、前記扉が、前記装置本体奥側の回動軸であり装置本体に対して回動する外扉ヒンジ軸を有する外扉と、該外扉に対して回動する内扉ヒンジ軸を外扉奥側に有する内扉とにより構成され、前記扉を開閉するとき、前記外扉に対して前記外扉ヒンジ軸を中心に内扉を徐々に開いていくことにより、前記内扉に設けた前記搬送ローラ対の一方のローラが他方のローラに対して軸方向において離間部付近で略平行に移動し、その後は、前記外扉の回動に伴って前記内扉が前記外扉との間の角度を保ったまま回動することを特徴とする。
【００１３】
上記構成によれば、回動軸を奥側にして扉を手前側から奥側に開いて搬送ローラ対を分割開放する場合であっても、ユーザー操作性が良く、尚且つ、扉の開閉に伴う搬送ローラ対等の部材の損傷を防止することが可能である。
【００１４】
【発明の実施の形態】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００１５】
〔第１実施形態〕
以下、図面を用いて、本発明の実施の形態に係るシート搬送装置を使用した画像形成装置について説明を行う。図２は画像形成装置の断面図であり、ここでは複写機を例示している。
【００１６】
図２において、１０１は画像形成装置本体であり、画像形成装置本体１０１の上部には固定して設けられた透明ガラス板からなる原稿台１０２が設けられている。１０３は原稿圧着板であり、原稿台１０２の所定の位置に画像面を下向きにして載置された原稿１００を押圧固定する。原稿台１０２の下側には原稿１００を照明するランプ１０４と、照明した原稿１００の光像を画像処理ユニット１０８に導くための反射ミラー１０５，１０６，１０７とからなる光学系が設けられている。なお、ランプ１０４及び反射ミラー１０５，１０６，１０７は所定の速度で移動して原稿１００を走査する。
【００１７】
画像形成部１１５は、感光体ドラム１１２と、感光体ドラム１１２の表面を均一に帯電する帯電ローラ１６０と、感光体ドラム１１２に画像光を照射して潜像を形成するレーザーユニット１０９と、感光体ドラム１１２にトナー像を形成するロータリ現像ユニット１５１と、感光体ドラム１１２の表面に現像されたトナー像が転写される中間転写ベルト１５２と、中間転写ベルト１５２のトナー像をシートＳに一括して転写する転写内ローラ１０と、トナー像を転写した後、感光体ドラム１１２に残留したトナーを除去するクリーナ１２６等を備えている。感光体ドラム１１２は、帯電ローラ１６０によって帯電された感光体ドラム１１２の表面にレーザーユニット１０９から照射される光像により形成された静電潜像を現像して中間転写ベルト１５２に順次重ねて転写するようになっている。  中間転写ベルト１５２上のトナー像は、二次転写部の転写内ローラ１０によってシートＳに一括して転写される。シートＳは、シートカセット１２７から給送部１２８によって選択的に一枚ずつ供給されるようになっている。
【００１８】
画像形成部１１５の下流側には、搬送されるシートＳ上のトナー像を永久画像として定着する定着器１２２と、この定着器１２２においてトナー像が定着されたシートＳを画像形成装置本体１０１から排出する排出ローラ対１２４とを順に配設してある。画像形成装置本体１０１の外側には、排出ローラ対１２４によって排出されたシートＳを受け取る排出部１２５を設けてある。
【００１９】
更に、本実施形態に係る画像形成装置は、シートを挟持搬送する搬送ローラ対としての転写外ローラ５と転写内ローラ１０とからなる二次転写部と、前記二次転写部の一方の転写外ローラ５を保持し、装置本体奥側に回動軸を有する開閉可能な扉１，２と、を有するシート搬送装置を備えている。
【００２０】
前記扉１，２は、図１、図３、図４、及び図５に示すように、前記装置本体１０１奥側に扉全体の回動軸となるヒンジ軸１ａを有する外扉１と、該外扉１に対して回動するヒンジ軸２ｃを外扉１奥側に有する内扉２との２枚構成になっている。そして、前記扉１，２を開閉するときは、まず前記外扉ヒンジ軸１ａを中心に外扉１を開いて該外扉１が内扉２に対して一定角以上開いた後、該外扉１の回動に伴って、前記内扉２が装置本体側のローラに対して軸方向において離間部付近で略平行に移動するように、前記外扉１との間の角度（前述の一定角）を保ったまま回動するようになっている。
【００２１】
以下、図１、図３、図４、及び図５を用いて、この特徴部分について詳しく説明する。図１、図３、図４、及び図５は、本実施形態に係る画像形成装置におけるシート搬送装置の扉及び扉近傍の搬送系を上面から見た概略図であり、図３は扉が閉じている状態の図であり、図４、図１、図５は扉の開閉途中の図である。
【００２２】
通常状態は図３に示す扉閉状態であり、装置本体前側板８と装置本体後側板９の間に、前記搬送ローラ対としての二次転写部を構成する転写内ローラ１０が配設されていて、転写内ローラ１０は不図示の駆動手段により駆動される中間転写ベルト１５２に従動して回転する。
【００２３】
外扉１は、扉全体の回動軸である外扉ヒンジ軸１ａにより装置本体後側板９に対して回動し、自由端となる装置本体前側は不図示のロック機構により装置本体前側板８に係合する構成となっている。内扉２は、内扉ヒンジ軸２ｃにより外扉１に対して回動し、自由端側に設けた位置決め部２ｅで前記外扉１の自由端側に設けた位置決め部１ｃを受けることで扉の位置決め及び回転止めを行う。また内扉２は、前記搬送ローラ対としての二次転写部を構成する転写外ローラ５を持っていて、該転写外ローラは加圧バネ４ａ，４ｂにより付勢され、転写内ローラ１０に押圧している。この圧力によりシートＳは中間転写ベルト１５２を介した転写ローラ対５，１０に挟持搬送される。また、前記扉を構成する外扉１と内扉２の間は、シートを案内する搬送パスを形成している（図１参照）。
【００２４】
次に、扉を開いた際の上記構成要素の動きについて説明する。図３の状態から図４に示すように外扉１を矢印Ｃ方向に開いていくと、端部７ａ，７ｂがそれぞれ扉１，２に係合している内扉開きバネ７により、内扉２は矢印Ｄ方向に開こうとする。しかし実際は、内扉２側の転写外ローラ５は加圧バネ４ａ，４ｂにより装置本体側の転写内ローラ１０に押圧されているので、転写外ローラ５の手前側端部５ｂを略支点として、内扉２は装置奥側が矢印Ｅ方向に開いていく。この結果として、内扉２側の転写外ローラ５が装置本体側の転写内ローラ１０に対して軸方向において略平行に開くこととなる。
【００２５】
そして、図１に示すように、装置本体側の転写内ローラ１０から扉側の転写外ローラ５が離間した状態では、前記加圧バネ４ａ，４ｂの付勢力によって、該一方の転写外ローラ５を支持するローラ軸受３のストッパ部３ａ，３ｂと、内扉２のストッパ部２ａ，２ｂが係合した位置に、前記内扉２側のローラ５が位置する。この図１に示す状態からもわかるように、本実施形態の構成によれば、装置本体側の転写内ローラ１０に対して扉側の転写外ローラ５は、軸方向において略平行に開いている。
【００２６】
また、図１に示すように、外扉１と内扉２の開き角βは、外扉ヒンジ軸１ａ中心と内扉ヒンジ軸２ｃ中心を結ぶ直線と外扉ヒンジ軸１ａ中心から外扉１に対して垂直の直線とからなるなす角αとの関係が、β≧α（一定角以上）の関係になるとき、外扉１に対して内扉２をロックするように構成している。すなわち、外扉１と内扉２との開き角βが上記関係を満たすと、内扉２のストッパ軸２ｄに回動可能に取り付けられた開き止めストッパ部材６が不図示の加圧部材の加圧力により矢印Ｆ方向に回動して、該ストッパ部材６の係合部６ａが外扉１側の係合突起１ｂに係合し、回動する外扉１に対して内扉２がロックされた状態となる。この図１に示すロック状態から、内扉２は外扉１に固定された状態で、図５に示すように外扉１に追従して開いていく。このように、本実施形態によれば、扉の開動作に伴って挟持状態が開放されるローラ対５，１０は、図１に示すように軸方向において略平行に離間された後に、図５に示すように扉の軸を中心に回動することとなる。
【００２７】
なお、扉を閉めるときは、上述した順序（図３→図４→図１→図５）とは逆の順序（図５→図１→図４→図３）で動作することとなる。すなわち、本実施形態によれば、前述した扉の開動作とは逆に、扉の閉動作に伴って挟持状態に圧接されるローラ対５，１０は、内扉２側のストッパ部材６と外扉１側の係合突起１ｂとの係合解除前には、図１に示すように軸方向において略平行に離間された状態になっているため、この状態から更に図４に示す如き状態（係合解除状態）まで扉を回動しても、該ローラ対５，１０は軸方向において略平行状態が保持されたまま圧接することとなる。
【００２８】
上述したように、本実施形態によれば、回動軸を奥側にして扉を手前側から奥側に開いて搬送ローラ対を分割開放する場合であっても、外扉１に対して外扉ヒンジ軸１ａを中心に内扉を徐々に開いていくことにより、内扉２に設けた搬送ローラ対５，１０の一方のローラ５が他方のローラ１０に対して軸方向において離間部付近で略平行に移動するので、ユーザー操作性が良く、尚且つ、搬送ローラ対５，１０は軸方向において略平行に開閉するので、扉の開閉に伴う搬送ローラ対の損傷を防止することができる。
【００２９】
〔第２実施形態〕
前述した第１実施形態では、内扉２側の矢印Ｆ方向に加圧された回動可能なストッパ部材６と、外扉１側の係合突起１ｂとが係合、係合解除することで、外扉１と内扉２との開き角βが一定角で保持、保持解除される構成としたが、本発明に係る扉１，２のロック機構はこれに限定されるものではない。
【００３０】
第２実施形態では、図６、図７に示すように、内扉２の軸２ｄに回動自在に設けられた第一リンク２１と、該第一リンク２１の軸２１ｂと外扉１の軸１ｄとに回動自在に設けられた第二リンク２２とにより構成されている。このリンク２１，２２は、図６に示す状態から外扉１を内扉２に対して開いていくとき、不図示のねじりコイルばね等の加圧部材により、軸２１ｂを支点として図７に示す矢印Ｇ方向に開いていき、第一リンク２１のストッパ部２１ａと第二リンク２２が係合することで、回動する外扉１に対して内扉２がロックされた状態となる。
【００３１】
なお、その他の装置の概略構成は前述した実施形態と同様であるため、同一の機能を有する部材には同一符号を付し、ここでは詳しい説明は省略する。
【００３２】
このように、本実施形態のようなロック機構であっても、前述した実施形態と同様に、回動軸を奥側にして扉を手前側から奥側に開いて搬送ローラ対を分割開放する場合であっても、ユーザー操作性が良く、尚且つ、搬送ローラ対５，１０は軸方向において略平行に開閉するので、扉の開閉に伴う搬送ローラ対の損傷を防止することができる。
【００３３】
〔第３実施形態〕
前述した第１実施形態では、扉１，２の開閉に伴って挟持、挟持解除が行われる搬送ローラ対として、二次転写部を構成する転写ローラ対５，１０を例示して説明したが、本発明はこれに限定されるものではない。
【００３４】
第３実施形態では、画像形成部において像担持体としての感光体ドラム３１に形成したトナー像を、給送部から給送されたシートに対して転写ローラ３２によって転写する画像形成装置において、図８に示すように、扉１，２の開閉に伴って挟持、挟持解除が行われる搬送ローラ対として、前記感光体ドラム３１と転写ローラ３２からなるローラ対３１，３２の場合を例示している。この場合、図８に示すように、扉１，２の開閉に伴って、装置本体側の感光体ドラム３１に対して、扉側に設けた転写ローラ３２が軸方向において略平行に開閉する構成となる。
【００３５】
以上のように、本実施形態によっても、前述した実施形態と同様に、回動軸を奥側にして扉を手前側から奥側に開いて搬送ローラ対を分割開放する場合であっても、ユーザー操作性が良く、尚且つ、搬送ローラ対３１，３２は軸方向において略平行に開閉するので、扉の開閉に伴う搬送ローラ対の損傷を防止することができる。
【００３６】
〔第４実施形態〕
前述した第１実施形態では、扉１，２の開閉に伴って挟持、挟持解除が行われる搬送ローラ対として、二次転写部を構成する転写ローラ対５，１０を例示して説明したが、本発明はこれに限定されるものではない。
【００３７】
第４実施形態では、扉１，２の開閉に伴って挟持、挟持解除が行われる搬送ローラ対として、該搬送ローラ対の各ローラが、それぞれのギアにより駆動がかかるローラ対である場合である。
【００３８】
本実施形態ではレジストローラ対４１，４４を例示する。このレジストローラ対４１，４４は、図９に示すように、装置本体側に配置したレジストローラ４１と扉側に配置したレジストローラ４４からなる。前記本体側レジストローラ４１は不図示の駆動源により回転駆動する。それにより本体側レジストローラ４１の奥側端部に係合している本体側レジストローラギア４２から、扉側レジストローラ４４の奥側端部に係合している扉側レジストローラギア４３に駆動が伝達され、扉側レジストローラ４４は回転駆動する。
【００３９】
なお、その他の装置の概略構成は前述した実施形態と同様であるため、同一の機能を有する部材には同一符号を付し、ここでは詳しい説明は省略する。
【００４０】
このような構成のレジストローラ対においても、前述した第１実施形態における扉１，２の内扉２に前記レジストローラ対のレジストローラ４４を配置することで、ユーザー操作性が良く、尚且つ、搬送ローラ対４１，４４は軸方向において略平行に開閉するので、扉の開閉に伴う搬送ローラ対の損傷を防止することができる。
【００４１】
なお、本実施形態では、１つのシート搬送装置或いは画像形成装置において、外扉と内扉からなる扉の開閉に伴って挟持、挟持解除が行われる搬送ローラ対が１組の場合を例示したが、本発明はこれに限定されるものではなく、１つのシート搬送装置あるいは画像形成装置において該搬送ローラ対が複数あっても良い。
【００４２】
例えば、第１実施形態において説明した搬送ローラ対としての転写ローラ対５，１０と、本実施形態において説明した搬送ローラ対としてのレジストローラ対４１，４４が、両実施形態において説明した外扉１と内扉２からなる扉の開閉に伴って、軸方向において略平行に開閉するように構成しても良い。この構成によれば、前述した実施形態と同様の効果が得られるばかりでなく、更に広い範囲の搬送パスが開放されることとなるので、ユーザー操作性が更に向上する。
【００４３】
〔第５実施形態〕
図１０は本発明の第５実施形態に係る画像形成装置におけるシート搬送装置を前面から見た概略図である。
【００４４】
本実施形態では、外扉１と内扉２とからなる扉のうち、内扉２が、装置本体との間においてシートを搬送する第一搬送部２０１と、外扉１との間においてシートを搬送する第二搬送部２０２とにより構成されている。この内扉２を構成する第一搬送部２０１と第二搬送部２０２は両者間にバネ２０７，２０８を介在させたフロート構成になっている。なお、図中、２０１ａ，２０１ｂは前記バネ２０７，２０８によって両搬送部２０１，２０２が所定量以上離間しないように規制する規制部材である。
【００４５】
内扉２の装置本体側に位置する第一搬送部２０１には、搬送ローラ対としての二次転写部を構成する一方の転写外ローラ５が、バネ２０９によって付勢され、支点２１７ａを中心に揺動可能な支持部材２１７に回動可能に支持されている。更に、搬送ローラ対としてのレジストローラ対の一方のレジストローラ４４が、バネ２１１によって付勢され、不図示のスライド機構により平行移動可能な軸受２１０に回動可能に支持されている。また第一搬送部２０１は、該第一搬送部２０１側に設けた位置決め部２０１ｃ，２０１ｄと装置本体側に設けた本体側位置決め部２０３，２０４ａで位置決めされる。
【００４６】
また、図中、２０１ｅは内扉２に設けられた搬送ガイドであり、内扉２の第一搬送部側においてシートを案内する搬送パスを形成している。２０４，２１２は装置本体側に設けられた搬送ガイドであり、内扉２の第一搬送部側の搬送ガイドと共にシートを案内する搬送パスを形成している。
【００４７】
一方、内扉２の外扉側に位置する第二搬送部２０２には、外扉１との間の搬送パスにおいてシートを搬送する搬送ローラ対２１３，２１４の一方の搬送ローラ２１４が、バネ２１６によって付勢され、不図示のスライド機構により平行移動可能な軸受２１５に回動可能に支持されている。また第二搬送部２０２は、該第二搬送部２０２側に設けた位置決め部２０２ａ，２０２ｂと外扉１側に設けた外扉側位置決め部２０５ａ，２０６ａで位置決めされる。
【００４８】
また、図中、２０５，２０６は外扉１に設けられた搬送ガイドであり、内扉２の第二搬送部２０２が形成する搬送ガイドと共にシートを案内する搬送パスを形成している。
【００４９】
なお、その他の装置の概略構成は前述した実施形態と同様であるため、同一の機能を有する部材には同一符号を付し、ここでは詳しい説明は省略する。
【００５０】
このように、本実施形態によれば、回動軸を奥側にして扉を手前側から奥側に開いて搬送ローラ対を分割開放する装置において、扉と装置本体との間に介在する複数の搬送パスの開閉が可能であり、且つ、前記搬送パスにおいてシートを挟持搬送する各搬送部（複数の搬送ローラ対）を軸方向において略平行に開閉することができるので、扉の開閉に伴う搬送ローラ対の損傷を防止することができるだけでなく、ユーザーの操作性が更に向上する。
【００５１】
なお、本実施形態によれば、上記外扉１と内扉２の間に介在する第二搬送部は搬送ローラ対２１３，２１４であり、該ローラとヒンジ軸の法線方向に対するローラの軸方向のオフセット量が少ないので、該ローラは傷つきにくく、傷が発生したとしても、前述したようにこのローラ対は搬送ローラ対なので、多少の傷で搬送力が低下して搬送不良を起こすことはない。
【００５２】
〔他の実施形態〕
前述した実施形態では、回転型現像装置であるロータリ現像ユニットが有する現像装置の数を具体的に例示しなかったが、この使用個数は限定されるものではなく、必要に応じて適宜設定すれば良い。
【００５３】
また前述した実施形態では、画像形成装置として複写機を例示したが、本発明はこれに限定されるものではなく、例えばプリンタ、ファクシミリ装置等の他の画像形成装置や、中間転写体としての転写ベルトではなく転写ドラムを使用し、該転写ドラムに各色のトナー像を順次重ねて転写し、該転写トナー像を転写媒体に一括して転写する画像形成装置、或いは、転写搬送ベルト、転写ドラム等の転写材担持体を使用し、該転写材担持体に担持された転写材に各色のトナー像を順次重ねて転写する画像形成装置であっても良く、該画像形成装置に用いられるシート搬送装置に本発明を適用することにより同様の効果を得ることができる。
【００５４】
また前述した実施形態では、記録対象としての記録紙等のシートを搬送するシート搬送装置を例示したが、本発明はこれに限定されるものではなく、例えば、読取対象としての原稿等のシートを搬送するシート搬送装置に適用しても同様の効果を得ることができる。
【００５５】
また前述した実施形態では、記録方式として電子写真方式を例示したが、これに限定されるものではなく、例えばインクジェット方式等の他の記録方式であっても良い。
【００５６】
なお、本発明の様々な実施形態を示し説明したが、本発明の趣旨と範囲は本明細書内の特定の説明と図に限定されるものではない。以下、本発明の実施態様の例を列挙する。
【００５７】
〔実施態様１〕
シートを挟持搬送する搬送ローラ対と、該搬送ローラ対の一方のローラを保持し、装置本体奥側に回動軸を有する開閉可能な扉と、を有するシート搬送装置において、前記扉が、前記装置本体奥側の回動軸であり装置本体に対して回動する外扉ヒンジ軸を有する外扉と、該外扉に対して回動する内扉ヒンジ軸を外扉奥側に有する内扉とにより構成され、前記扉を開閉するとき、前記外扉に対して前記外扉ヒンジ軸を中心に内扉を徐々に開いていくことにより、前記内扉に設けた前記搬送ローラ対の一方のローラが他方のローラに対して軸方向において離間部付近で略平行に移動し、その後は、前記外扉の回動に伴って前記内扉が前記外扉との間の角度を保ったまま回動することを特徴とするシート搬送装置。
【００５８】
〔実施態様２〕
前記搬送ローラ対が、中間転写体に順次重ねて転写されたトナー像をシートに一括して転写する二次転写部の転写内ローラと転写外ローラであることを特徴とする実施態様１に記載のシート搬送装置。
【００５９】
〔実施態様３〕
前記搬送ローラ対が、像担持体と、該像担持体に形成されたトナー像をシートに転写する転写ローラであることを特徴とする実施態様１に記載のシート搬送装置。
【００６０】
〔実施態様４〕
前記搬送ローラ対が、各ローラ端部に設けられたギアが噛合し、該ギアに駆動力が伝達されることで回転駆動するローラ対であることを特徴とする実施態様１に記載のシート搬送装置。
【００６１】
〔実施態様５〕
前記一定角とは、外扉ヒンジ軸中心と内扉ヒンジ軸中心を結ぶ直線と、前記外扉ヒンジ軸中心から前記外扉に対して垂直の直線とからなるなす角以上の角度であることを特徴とする実施態様１に記載のシート搬送装置。
【００６２】
〔実施態様６〕
前記外扉と前記内扉の間がシートを案内する搬送パスであることを特徴とする実施態様１に記載のシート搬送装置。
【００６３】
〔実施態様７〕
前記内扉は、装置本体との間でシートを搬送する第一搬送部と、前記外扉との間でシートを搬送する第二搬送部とにより構成されていることを特徴とする実施態様１に記載のシート搬送装置。
【００６４】
〔実施態様８〕
前記第一搬送部は装置本体側の位置決め部により位置決めし、前記第二搬送部は前記外扉の位置決め部により位置決めすることを特徴とする実施態様７に記載のシート搬送装置。
【００６５】
〔実施態様９〕
シートに画像を形成する画像形成装置において、シートを搬送する搬送手段として、実施態様１〜８のいずれかに記載のシート搬送装置を備えていることを特徴とする画像形成装置。
【００６６】
【発明の効果】
以上説明したように、本発明によれば、回動軸を奥側にして扉を手前側から奥側に開いて搬送ローラ対を分割開放する場合であっても、ユーザー操作性が良く、尚且つ、扉の開閉に伴う搬送ローラ対等の部材の損傷を防止することができる。
【図面の簡単な説明】
【図１】第１実施形態に係るシート搬送装置の扉の開閉の説明図
【図２】シート搬送装置を有する画像形成装置の概略構成を模式的に示した図
【図３】第１実施形態に係るシート搬送装置の扉の開閉の説明図
【図４】第１実施形態に係るシート搬送装置の扉の開閉の説明図
【図５】第１実施形態に係るシート搬送装置の扉の開閉の説明図
【図６】第２実施形態に係るシート搬送装置の扉の開閉の説明図
【図７】第２実施形態に係るシート搬送装置の扉の開閉の説明図
【図８】第３実施形態に係るシート搬送装置の扉の開閉の説明図
【図９】第４実施形態に係るシート搬送装置の扉の開閉の説明図
【図１０】第５実施形態に係るシート搬送装置の扉の開閉の説明図
【図１１】従来のシート搬送装置の扉の開閉の説明図
【図１２】従来のシート搬送装置の扉の開閉の説明図
【符号の説明】
Ｓ        …シート
１        …外扉
１ａ    …外扉ヒンジ軸
１ｂ    …係合突起
１ｃ    …位置決め部
１ｄ    …軸
２        …内扉
２ａ，２ｂ  …ストッパ部
２ｃ    …内扉ヒンジ軸
２ｄ    …軸
２ｅ    …位置決め部
３ａ，３ｂ  …ストッパ部
４ａ，４ｂ  …加圧バネ
５        …転写外ローラ
５ｂ    …手前側端部
６        …ストッパ部材
６ａ    …係合部
７        …内扉開きバネ
７ａ，７ｂ  …端部
８        …装置本体前側板
９        …装置本体後側板
１０    …転写内ローラ
２１    …第一リンク
２１ａ  …ストッパ部
２１ｂ  …軸
２２    …第二リンク
３１    …感光体ドラム
３２    …転写ローラ
４１    …本体側レジストローラ
４２    …本体側レジストローラギア
４３    …扉側レジストローラギア
１００  …原稿
１０１  …画像形成装置本体
１０２  …原稿台
１０３  …原稿圧着板
１０４  …ランプ
１０５，１０６，１０７  …反射ミラー
１０８  …画像処理ユニット
１０９  …レーザーユニット
１１２  …感光体ドラム
１１５  …画像形成部
１２２  …定着器
１２４  …排出ローラ対
１２５  …排出部
１２６  …クリーナ
１２７  …シートカセット
１２８  …給送部
１５１  …ロータリ現像ユニット
１５２  …中間転写ベルト
１６０  …帯電ローラ
２０１  …第一搬送部
２０１ａ，２０１ｂ  …規制部材
２０１ｃ，２０１ｄ  …位置決め部
２０１ｅ  …搬送ガイド
２０２  …第二搬送部
２０２ａ，２０２ｂ  …位置決め部
２０３，２０４ａ  …本体側位置決め部
２０４，２１２  …搬送ガイド
２０５ａ，２０６ａ  …外扉側位置決め部
２０７，２０８，２０９  …バネ
２１０  …軸受
２１１  …バネ
２１３，２１４  …搬送ローラ
２１７  …支持部材
２１７ａ  …支点
【図１】
2004269151.tif 000003
【図２】
2004269151.tif 000004
【図３】
2004269151.tif 000005
【図４】
2004269151.tif 000006
【図５】
2004269151.tif 000007
【図６】
2004269151.tif 000008
【図７】
2004269151.tif 000009
【図８】
2004269151.tif 000010
【図９】
2004269151.tif 000011
【図１０】
2004269151.tif 000012
【図１１】
2004269151.tif 000013
【図１２】
2004269151.tif 000014